(57)【特許請求の範囲】
【請求項１】
インターネット通信機能及びナビゲーション制御機能を備えた車載機において、
メーリングリストに従ってインターネットより送信されたメール情報を受信する受信部、
前記メーリングリストのカテゴリーに対応させて前記メール情報に含まれる地点名、地点住所、メッセージを保存する保存部、
前記保存されたメール情報をナビゲーションにおける地点検索に利用する制御部、
を備え、
前記制御部は、行き先検索に際して、「メール地点検索方法」を目的地検索の複数の方法のうちの１つとして表示し、該「メール地点検索方法」が選択されたとき、カテゴリーリストを表示し、所定のカテゴリーの選択により該カテゴリーに属するメール地点のリストを表示し、その中から選択された地点を目的地として経路探索を行う、
ことを特徴とする車載機。
【請求項２】
インターネット通信機能及びナビゲーション制御機能を備えた車載機における目的地検索方法において、
メーリングリストに従ってインターネットより送信されたメール情報を受信し、該メーリングリストのカテゴリーに対応させて前記メール情報に含まれる地点名、地点住所、メッセージを保存し、
行き先検索に際して、「メール地点検索方法」を目的地検索の複数の方法のうちの１つとして表示し、
該「メール地点検索方法」が選択されたとき、カテゴリーリストを表示し、所定のカテゴリーの選択により該カテゴリーに属するメール地点のリストを表示し、その中から選択された地点を目的地として経路探索を行う、
ことを特徴とする車載機における目的地検索方法。
【発明の詳細な説明】
【技術分野】
【０００１】
本発明は、車載機及び目的地検索方法に係わり、特にインターネット通信機能及びナビゲーション制御機能を備えた車載機及び目的地検索方法に関する。
【背景技術】
【０００２】
車載機はインテリジェント機能を備え、ハンズフリー機能（自動車電話機能）や車載ナビゲーション機能、オーディオ機能等を備えている。ハンズフリー機能によれば、車載機の操作キーを操作して車内より発呼すれば、携帯電話機、無線基地局、公衆電話網を介して相手先電話機に接続して相手とハンズフリーで通話でき、また、外部の電話機からの着信に応答して相手とハンズフリーで電話できる。また、車載機はインタネットブラウザを用いてブラウジングやインターネット経由でメール送受信する機能を備えている。図１１は車載機のインターネット通信機能の説明図であり、自動車1に車載機２が搭載されている。この車載機２に携帯電話機（MS）３を接続すれば、車載機２は、携帯電話機３、基地局（BS）４、一般通信網５を介してアクセスポイントであるインターネットサービスプロバイダ（ＩＳＰ）６にダイヤルアップ接続し、しかる後、インターネット７にアクセス可能になる。なお、最近の車載機では、Bluetoothにより車載機と携帯電話機間を無線リンクで接続し、無線で通信するようになっている(たとえば特許文献１参照)。
このインターネット通信機能により、車載機はWebサイト８にアクセスして該Webサイトより所望の情報を閲覧、取得してディスプレイ装置に表示することができる。たとえば、Webサイトとしての情報センターより特定地点の名称、位置情報、特徴情報などを取得して表示し、所定の地点を目的地として設定することが出来る(特許文献２参照)。
また、車載機２はメールサーバ９にメール配信を要請することにより、メールボックス１０に保存されている他ユーザから送信された自己宛のメール(送信者、件名、受信日時、未読の別など)を受信メールリストに表示し、所定のメールをダウンロードにより取得してディスプレイ装置に表示することができる。なお、図において、１１は他ユーザ端末、１２はインターネットサービスプロバイダ（ＩＳＰ）である。また、自己宛のメールをフォルダー化して分類し、例えば、友人や家族、ゴルフ仲間、釣仲間、会社関係など毎にフォルダー化して分類し、フォルダー単位で受信メールリストを表示することができる。また、メール送信者を識別し、送信者あるいはグループ特有のアイコンを付して受信メールリストを表示することもできる (特許文献３参照)。
【特許文献１】特開２００２−１７６４８６号公報
【特許文献２】特開平１１−１０１６５３号公報
【特許文献３】特開平２００１−７５８９１号公報
【発明の開示】
【発明が解決しようとする課題】
【０００３】
ところで、従来のインターネット機能を備えた車載機において、着信メールは単純に表示して読むだけであった。なお、メッセージにリンク先が埋め込まれている場合には、該リンク先のホームページを開いて見ることはできる。以上より、従来の車載機は、メール情報を読むだけに利用するもので、該メール情報を別に、例えばナビゲーションにおける地点検索などに利用することは行われていなかった。
本発明の目的は、メール情報をナビゲーションにおける地点検索に利用できるようにすることである。
本発明の別の目的は、特に、メーリングリストにしたがってインターネットより送信されたメール情報に含まれる地点名、地点住所、メッセージをナビゲーションにおける地点検索に利用できるようにすることである。
【課題を解決するための手段】
【０００４】
本発明は、インターネット通信機能及びナビゲーション制御機能を備えた車載機および該車載機における目的地検索方法である。
本発明の車載機は、メーリングリストに従ってインターネットより送信されたメール情報を受信する受信部、前記メーリングリストのカテゴリーに対応させて前記メール情報に含まれる地点名、地点住所、メッセージを保存する保存部、前記保存されたメール情報をナビゲーションにおける地点検索に利用する制御部を備えている。この車載機において、前記制御部は、行き先検索に際して、「メール地点検索方法」を目的地検索の複数の方法のうちの１つとして表示し、該「メール地点検索方法」が選択されたとき、カテゴリーリストを表示し、所定のカテゴリーの選択により該カテゴリーに属するメール地点のリストを表示し、その中から選択された地点を目的地として経路探索を行う。
本発明の車載機における目的地検索方法は、メーリングリストに従ってインターネットより送信されたメール情報を受信するステップ、該メーリングリストのカテゴリーに対応させて前記メール情報に含まれる地点名、地点住所、メッセージを保存するステップ、行き先検索に際して、「メール地点検索方法」を目的地検索の複数の方法のうちの１つとして表示するステップ、該「メール地点検索方法」が選択されたとき、カテゴリーリストを表示し、所定のカテゴリーの選択により該カテゴリーに属するメール地点のリストを表示するステップ、その中から選択された地点を目的地として経路探索を行うステップを有している。
【発明の効果】
【０００５】
本発明によれば、メーリングリストに従ってインターネットより送信されたメール情報を受信し、前記メーリングリストのカテゴリーに対応させて前記メール情報に含まれる地点名、地点住所、メッセージを保存し、該保存されたメール情報をナビゲーションにおける地点検索に利用するようにしたから、従来単に見るだけであったメール情報をナビゲーションにおける地点検索に利用することができるようになった。
また、本発明によれば、制御部は、行き先検索に際して、「メール地点検索方法」を目的地検索の複数の方法のうちの１つとして表示し、該「メール地点検索方法」が選択されたとき、カテゴリーリストを表示し、所定のカテゴリーの選択により該カテゴリーに属するメール地点のリストを表示し、その中から選択された地点を目的地として経路探索を行うようにしたから、メーリングリストにしたがってインターネットより送信されたメール情報をナビゲーションにおける地点検索に利用できるようなった。
【発明を実施するための最良の形態】
【０００６】
本発明は、インターネット通信機能及びナビゲーション制御機能を備えた車載機における目的地検索方法である。車載機のインターネット通信ユニットは、メーリングリストに従ってインターネットより送信されたメール情報を受信し、ナビゲーションユニットは該メーリングリストのカテゴリーに対応させて前記メール情報に含まれる地点名、地点住所、メッセージを保存する。ナビゲーションユニットは行き先検索がユーザにより選択されたとき、「メール地点検索方法」を目的地検索の複数の方法のうちの１つとして表示し、該「メール地点検索方法」が選択されたとき、カテゴリーリストを表示し、所定のカテゴリーの選択により該カテゴリーに属するメール地点のリストを表示し、その中から選択された地点を目的地として経路探索を行う。
【実施例】
【０００７】
図１は本発明の車載機のインターネット通信機能の説明図であり、自動車２１に車載機２２が搭載されている。車載機２２はは携帯電話機（MS）２３、基地局（BS）２４、一般通信網２５を介してアクセスポイントであるインターネットサービスプロバイダ（ＩＳＰ）２６にダイヤルアップ接続し、しかる後、インターネット２７にアクセス可能になる。このインターネット通信機能により、車載機２２は所定のWebサイト３１にアクセスして該Webサイトより情報を閲覧、取得してディスプレイ装置に表示することができる。また、車載機２２はメールサーバ２８にメール配信を要請することにより、メールボックス２９に保存されている他ユーザ端末から送信された自己宛のメール(送信者、件名、受信日時、未読の別など)を受信メールリストに表示し、所定のメールをダウンロードにより取得してディスプレイ装置に表示できる。
インターネット機能には同報通信のためにメーリングリストがある。メーリングリストにより同報通信するには、開設者がメーリングリストのWebサイト３０を開設し、例えば「ラーメン屋さんメーリングリスト」のWebサイトを開設し、仲間のメールアドレスを登録する。仲間の氏名、メールアドレス、その他の情報はメーリングリストMLに登録される。かかる状態において、このメーリングリストのWebサイト３０にラーメン屋さんに関するメールが到着すると、Webサイトのサーバがラーメン屋さんメーリングリストMLの全仲間に該メール情報を同報通信する。メール情報は、例えば、店名等の地点名、住所、メッセージ(新店開設情報、味/サービスの採点情報など)を含んでいるから、同報通信を受信した者はメール情報に基づいて訪問するか否かを決定できる。
メーリングリストを公開するか否か、同報通信の仲間に入る条件、投稿者の資格(誰でも、登録した仲間だけ、契約者のみ)などはメーリングリストの開設者が自由に決定できる。誰でも自由に仲間に入れる場合であれば、同報通信を受けようとする者は「ラーメン屋さんメーリングリスト」のWebサイトにアクセスしてメールアドレスを登録することにより同報通信の仲間に入ることができ、またメールアドレスを削除することにより脱会することができる。
【０００８】
以上により、車載機２２が「ラーメン屋さんメーリングリスト」の仲間になれば、該「ラーメン屋さんメーリングリスト」に投稿されたメール情報、例えば図２に示すメール情報がメールボックス２９に保存される。また、別のメーリングリストの仲間、例えば、「ゴルフ場メーリングリスト」、「釣メーリングリスト」、「イベントメーリングリスト」などのグループに入れば、それぞれのメーリングリストに投稿されたメール情報がメールボックス２９に保存される。メール情報はメーリングリスト毎にフォルダー化し、メーリングリスト専用のメールボックスに格納し、受信メールのリスト表示に際して、図３に示すようにメールボックス内のトータルのメール情報数/未読の別、フォルダー毎のメール数/未読の別を表示し、選択されたフォルダーのメール情報について送信者、日付、件名を表示する。
【０００９】
図４は、本発明の車載機の説明図である。車載機には車載ナビゲーション制御を実行するナビゲーションユニット５１、ハンズフリー電話制御やインターネット通信制御を行なう通信ユニット５２、図示しないオーディオユニット等を備え、これらにユーザインターフェース５３を介して操作キー部５４や表示装置５５、図示しないリモコンなどが接続されている。表示装置５５はタッチパネルTPNLの構成を備えており、スクリーンSCRNに地図や各種メニューを表示し、タッチしてデータやコマンドを入力するようになっている。又、スクリーンの側部及び下部にハードキーHDKYが設けられている。
ナビゲーションユニット５１と通信ユニット５２は各種コマンドや情報などを相互に授受するように接続されており、また、通信ユニット５２には外部の携帯電話機２３やインターネット等と接続するための携帯電話通信部５６が接続されている。通信ユニット５２は、発呼制御処理、着信制御処理、インターネット通信処理を実行する。
携帯電話通信部５６は、送受信部を備え、携帯電話機２３や図示しない移動電話網、一般公衆網等を介して相手電話機と音声で電話し、あるいはインターネットと接続してインターネット通信、メール送受信ができるようになっている。
【００１０】
図５はナビゲーションユニット５１と通信ユニット５２の構成図である。ナビゲーションユニット５１は、コンピュータ構成になっており、車載ナビゲーションの各種処理、例えば、現在位置周辺の地図読み出し処理、経路探索/経路誘導処理、メール地点情報のデータベース化処理等を実行するプロセッサ（ＣＰＵ）５１ａ、地図データを記憶する地図記録媒体５１ｂ、該地図記録媒体よりプロセッサが指示した地域の地図データを読み出す地図読み出し部５１ｃ、該読み出された地図データを保存する地図メモリ５１ｄ、プロセッサが車載ナビゲーションの各種処理を実行するためのプログラムを保存するプログラムメモリ５１ｅ、探索経路などの処理結果を保存するワークメモリ５１ｆ、車両の現在位置を検出するＧＰＳ等の車両位置検出部５１ｇ、地図、メニュー等の画像を発生してユーザインターフェース５３を介して表示装置５５に送信する画像発生部５１ｈ、通信ユニット５２と通信するためのインターフェース(通信ユニットＩＮＦ)５１ｉ、操作キー部５４やタッチパネルTPNLから入力された操作コマンドを受信してＣＰＵ５１a入力する操作受信部５１j、メーリングリストに従ってインターネットより送信されたメール情報を、該メーリングリストのカテゴリー(ラーメン屋、ゴルフ場、釣、イベント、温泉など)に対応させて保存するメール地点データベース５１kを有している。メール情報には店名、施設名、イベント地点などの地点名、地点の所在地（住所）、地点の特徴（コメント）などの情報が少なくとも含まれている。
通信ユニット５２は、ハンズフリー電話制御及びインターネット通信制御を行なうプロセッサ（ＣＰＵ）５２ａ、プロセッサが上記制御を行なうための各種プログラムを保存するプログラムメモリ５２ｂ、設定データや処理結果等を保存するデータメモリ５２ｃ、操作用の各種メニュー画像、メール本文等を発生する画像発生部５２ｄ、携帯電話通信部５６(図４参照)との間のデータ通信を司る通信インターフェース５２ｅ、ナビゲーションユニット５１と通信するためのインターフェース(ＮＡＶＩインターフェース)５２ｆ、操作キー部５４やタッチパネルTPNLから入力された操作コマンドを受信してＣＰＵ５２aに入力する操作受信部５２ｇを有している。
【００１１】
図６はメーリングリストに投稿されたメール情報の受信処理フローである。
受信メールリスト(図３参照)を表示し、所定のメーリングリスト(例えば、ラーメン屋さんのメーリングリスト)に応じたフォルダー名を選択すれば、通信ユニット５２は、該メーリングリストのWebサイト３０から送信されたメール情報(図７（a）参照)を受信する(ステップ１０１)。通信ユニット５２のＣＰＵ５２aは該メール情報を、１地点毎に切り分け、それぞれ検索可能なデータフォーマットに変換する(ステップ１０２)。すなわち、ＣＰＵ５２aは、地点毎にメーリングリストに応じたカテゴリー(ラーメン屋さん)CTGに、(１)地点名SHP、(２)地点住所ADR、(３)メッセージ(コメント、評価、訪問日等)MESを対応させる(図７(b)、(c)参照)。
ついで、通信ユニット５２は得られた各地点情報をナビゲーションユニット５１に送信し(ステップ１０３)、ナビゲーションユニット５１は受信した地点情報をメール地点データベース５１kに保存する(ステップ１０４)。図８はメール地点データベースの地点情報記憶例であり、カテゴリー→地点名/地点住所→メッセージ（コメント、評価、訪問日等)の階層構造で地点情報を保存する。
【００１２】
図９は本発明のナビゲーションユニットにおける目的地検索の処理フローである。
キー操作あるいはタッチパネル操作によりメニュー表示を要求すると、ナビゲーションユニット５１のＣＰＵ５１aはメインメニューを表示装置５５に表示するから「行き先メニュー項目」を選択する(ステップ２０１)。このメニュー選択により、ナビゲーションユニット５１は表示装置５５にメインメニューに代わって図１０（a）に示すサブメニューを表示する(ステップ２０２)。
このサブメニュー画面より、サブメニュー項目「メール地点より探す」MPOIを選択すれば(ステップ２０３)、ナビゲーションユニット５１はメール地点データベース５１kに保存されているメール地点情報の最上位層であるカテゴリーのリストを図１０(b)に示すように表示する(ステップ２０４)。このカテゴリーリストから所望のカテゴリー、例えば「ラーメン屋さん」を選択すれば(ステップ２０５)、「ラーメン屋さんメーリングリスト」に投稿されたメール情報に含まれる店名、地点等の地点名及び受信日を表示するから、所定の地点を選択する(ステップ２０６)。
地点選択により、ナビゲーションユニット５１は、図１０（ｄ）に示すように、地点周辺の地図を表示すると共に、地点位置に旗FGを立て、更に、カテゴリー、地点名、地点住所、電話番号、及び投稿メッセージを表示する(ステップ２０７)。ここで、地図上に表示されているメニュー項目MNより「目的地」を選択すれば、表示されている地点を目的地として設定することができる(ステップ２０８)。なお、地図上に表示されているメニュー項目MNより「登録地」を選択すれば、表示されている地点位置を登録することができ、また、「通過」を選択すれば通過地点として設定することができる。
目的地が設定されれば、ナビゲーションユニット５１のＣＰＵ５１aは現在位置から目的地までの経路を探索し(ステップ２０９)、図１０(e)に示すように探索した経路RTを地図MP上に表示する(ステップ２１０)。
以上本発明によれば、従来単に見るだけであったメール情報をナビゲーションにおける地点検索に利用することができるようになった。
【図面の簡単な説明】
【００１３】
【図１】本発明の車載機のインターネット通信機能の説明図である。
【図２】メール情報説明図である。
【図３】本発明の受信メールのリスト表示例である。
【図４】本発明の車載機の構成図である。
【図５】ナビゲーションユニットと通信ユニットの構成図である。
【図６】メーリングリストに投稿されたメール情報の受信処理フローである。
【図７】メール情報の切り分けおよびフォーマット変換説明図である。
【図８】メール地点データベースの地点情報記憶例である。
【図９】本発明のナビゲーションユニットにおける目的地検索の処理フローである。
【図１０】目的地検索処理説明図である。
【図１１】従来の車載機のインターネット通信機能の説明図である。
【符号の説明】
【００１４】
２２  車載機
２３  携帯電話機
５１  ナビゲーションユニット
５２  通信ユニット
５３  ユーザインターフェース
５４  操作キー部
５５  表示装置
５６  携帯電話通信部
【図１】
0004541234.tif 000002
【図２】
0004541234.tif 000003
【図３】
0004541234.tif 000004
【図４】
0004541234.tif 000005
【図５】
0004541234.tif 000006
【図６】
0004541234.tif 000007
【図７】
0004541234.tif 000008
【図８】
0004541234.tif 000009
【図９】
0004541234.tif 000010
【図１０】
0004541234.tif 000011
【図１１】
0004541234.tif 000012